(57)【特許請求の範囲】
【請求項１】
短管状部分と、その短管状部分の一方の開口箇所を封鎖する底部分とからなる有底短管状の形態を有し、該短管状部分はブロー成形体から突出し、該底部分はブロー成形体中に埋設され、該短管状部分の内側に分岐流路構成用パイプが挿入嵌着して使用される合成樹脂製インサートであって、
その短管状部分の内層部分は軟質合成樹脂で構成され、その短管状部分の外層部分及びその外層部分と一体的に繋げた前記底部分は硬質合成樹脂で構成され、
前記短管状部分の外層部分には前記短管状部分に加えられる外力によって拡縮容易となすための縦スリットが複数箇所に形成されていることを特徴とする合成樹脂製インサート。
【請求項２】
請求項１において、前記底部分の周側面には、薄板状張出部と、該薄板状張出部に続く凹状溝部を設けていることを特徴とする合成樹脂製インサート。
【請求項３】
請求項１において、前記縦スリット間に当る短管状部分の外層上端縁には外側に張出す鍔を設けていることを特徴とする合成樹脂製インサート。
【発明の詳細な説明】
【０００１】
【発明の属する技術分野】
本発明は、気体や液体を通すダクト・ホース類をブロー成形によって得るときに、インサート成形を併用して、分岐流路構成用パイプが取付く箇所を同時一体的に形成するとき使用される合成樹脂製インサートに関するものである。
【０００２】
【従来の技術】
前記した用途に使用されるインサートに関し、特開平７−１２４９９９号公報には、有底短管状をなしたインサートが開示されている。このインサートの底部分は、ブロー成形時はブロー成形樹脂がインサートの短管状部分内に侵入しないように封鎖する役目を果たしているが、ブロー成形後は穿孔されて中空ブロー成形体内外の連通がなされる。インサートの底部分に繋がる短管状部分は中空ブロー成形体の外側に突出し、その短管状部分の内側には分岐流路構成用パイプが挿入嵌合されることになる。かかる用途に使われるインサートは、全体が曲げ弾性率３，０００Ｋｇｆ／ｃｍ2 以下の硬度を持った軟質材料製とすると、インサートと分岐流路構成用パイプとの良好な取付性、気密性が得られる旨、前掲公報には記載がなされている。
【０００３】
【発明が解決しようとする課題】
上記した曲げ弾性率をもつ軟質材料製インサートで種々試験を重ねた結果によると、インサートと分岐流路構成用パイプとの取付性や気密性といった点では満足できても、インサートと中空ブロー成形体との固定強度や組立後の引抜強度という点では必ずしも充分とはいえず未だ改善の余地があったから、この発明では、これ等の点が改善されたインサートを提供するものである。
【０００４】
【課題を解決するための手段】
この発明に係る合成樹脂製インサートは、短管状部分と、その短管状部分の一方の開口箇所を封鎖する底部分とからなる有底短管状の形態を有し、該短管状部分はブロー成形体から突出し、該底部分はブロー成形体中に埋設され、該短管状部分の内側に分岐流路構成用パイプが挿入嵌着して使用される合成樹脂製インサートであって、その短管状部分の内層部分は軟質合成樹脂で構成され、その短管状部分の外層部分及びその外層部分と一体的に繋げた前記底部分は硬質合成樹脂で構成され、前記短管状部分の外層部分には前記短管状部分に加えられる外力によって拡縮容易となすための縦スリットが複数箇所に設けたものである。
【０００５】
前記短管状部分の外層部分よりも大径とした底部分の周側面には凹溝を設け、縦スリット間に当る短管状部分の外層上端縁には外側に張出した鍔を設けるとよい。
【０００６】
【発明の実施の形態】
この発明の一実施例を図１（Ａ）に基づいて説明すると、この合成樹脂製インサート１は、従来例と同じく、短管状部分２と、その短管状部分２の一方の開口箇所を封鎖する底部分３とからなる有底短管状をなしていて、ダクトやパイプ等の中空ブロー成形体を得るブロー成形時に同時にインサート成形されるときに用いられて、その一体成型品は、図２（Ａ）のように、底部分３は中空ブロー成形体１０中に埋設され、短管状部分２は中空ブロー成形体１０から外側に向けて突出し、ブロー成形時にはブロー成形樹脂が短管状部分２内に侵入しないように封鎖していたインサート１の底部分３は、ブロー成形後は穿孔されて中空ブロー成形体１０の内部と外部との連通がなされる。実際の使用は、図２（Ｂ）のように、短管状部分２の内側に分岐流路用パイプ１１が嵌入装着され、短管状部分２の外側からバンド１２で緊締されることになる。
【０００７】
このインサート１の一つの特長は、短管状部分２は内層部分２ａと外層部分２ｂの二層構造となし、その内層部分２ａは例えばオレフイン系の熱可塑性エラストマーといった軟質合成樹脂製とし、その外層部分２ｂおよびその外層部分２ｂと一体的に繋げた底部分３は例えばポリプロピレンといった硬質合成樹脂製としている点である。かかる構成は公知の二色射出成形法により製作可能である。インサート１の外層部分２ｂと、その外層部分２ｂと一体的に繋げた底部分３とが硬質合成樹脂製であるから、インサート１と中空ブロー成形体１０との固定強度および組立後の引抜強度は十分強力なものにすることができる一方、分岐流路構成用パイプ１１が嵌入装着される短管状部分２の内層部分２ａは軟質合成樹脂製であるから、インサート１と分岐流路構成用パイプ１１との良好な取付性、気密性は十分保証されることになる。このインサート１の底部分３の周側面は、薄板状張出部５と、該薄板状張出部５に続く凹状溝部６を形成している。これら薄板状張出部５および凹状溝部６の形態は、ブロー成形樹脂と溶着乃至は密着しやすく且つ十分な係止効果を得る見地から適宜決めることができる。また、図１（Ｂ）に分かり易く図示したように、前記短管状部分２の外層部分２ｂには外層部分２ｂの円周を等分した複数箇所に縦スリット４を形成している。このような縦スリット４を欠く硬質合成樹脂製の外層部分２ｂであると、外層部分２ｂの拡縮は殆ど困難であるため、分岐流路構成用パイプ１１の装着を難しくするが、縦スリット４を設けると拡縮可能となって分岐流路構成用パイプ１１の装着が容易となるし、バンド１２で緊締するにしても効果的に締め上げることができる。
【０００８】
図示の例では、短管状部分２の外層部分２ｂ上端縁には、前記縦スリット４，４間に鍔７を形成している。この鍔７は短管状部分２外周縁の補強のほか、バンド１２が抜け落ちるのを防ぐ役を果たす。
【０００９】
【発明の効果】
この発明は、上述したように、ブロー成形樹脂中に埋設されるインサート底部分及びその底部分に繋がるインサート短管状部分の外層部分は硬質合成樹脂製としたこと、更には底部分の周側面に設けた薄板状張出部と凹状溝部としたことが両々相俟って、中空ブロー成形体に対するインサートの固定強度および組立後の引抜強度を充分強くすることができ、分岐流路構成用パイプが嵌め込まれるインサート短管状部分の内層部分は軟質合成樹脂製としたから、インサートと分岐流路構成用パイプとの取付性や気密性は損なわれることなく良好に維持させることができる。短管状部分の外層部分には、その円周を等分した複数箇所に縦スリットを設けたから、拡縮が容易となって分岐流路構成用パイプを挿入して組付るときや、バンドで締めるときに、確実なものとすることができる。また、縦スリット間に当る短管状部分の外層上端縁に鍔を設けるときには、補強のほか、短管状部分の外側から緊締するバンドの脱落を防止する。
【図面の簡単な説明】
【図１】図１（Ａ）は本発明の一実施例を示す一部断面した側面図、図１（Ｂ）はそのスリットの状態を示した斜視図である。
【図２】図２（Ａ）はブロー成型品の断面図、図２（Ｂ）は取り付け状態を示す一部断面にした側面図である。
【符号の説明】
１      合成樹脂製インサート
２      短管状部分
２ａ    内層部分
２ｂ    外層部分
３      底部分
４      縦スリット
５      薄板状張出部
６      凹状溝部
７      鍔
１０      中空ブロー成形体
１１      分岐流路構成用パイプ
１２      バンド
【図１】
0004013387.tif 000002
【図２】
0004013387.tif 000003